(57)【要約】      （修正有）【課題】低コストで且つ利便性に優れる仕切り線を設けるためのパーティション用ベルトを提供する。【解決手段】置柵や支柱等の、仮設又は常設の構造物の間に架設して仕切り線を設けるための、パーティション用ベルトであって、構造物への連結のために、互いに留め合う一組の留め具からなる面ファスナー２を、ベルト本体１に設けて構成する。【選択図】図１
0003189165.tif 000002
【実用新案登録請求の範囲】
【請求項１】
置柵や支柱等の、仮設又は常設の構造物の間に架設して仕切り線を設けるための、パーティション用ベルトであって、
前記構造物への連結のために、互いに留め合う一組の留め具からなる面ファスナーを、ベルト本体に設けたことを特徴とする、
パーティション用ベルト。
【請求項２】
前記ベルト本体の前背面のうち少なくとも何れか一方の面において、
一端に挿通金具を設け、
他端に前記面ファスナーのうち一方の留め具を設け、
中間部分に前記面ファスナーのうち他方の留め具を設けたことを特徴とする、
請求項１に記載のパーティション用ベルト。
【請求項３】
前記ベルト本体の前背面のうち少なくとも何れか一方の面において、
両端に前記面ファスナーのうち一方の留め具を設け、
中間部分に前記面ファスナーのうち他方の留め具を設けたことを特徴とする、
請求項１に記載のパーティション用ベルト。
【請求項４】
前記ベルト本体に、弾性変形可能な変形部を設けたことを特徴とする、請求項１乃至３のうち何れか１項に記載のパーティション用ベルト。
【請求項５】
前面に表示部を設け、且つ背面に前記面ファスナーのうち一方の留め具を設けた貼付片をさらに有し、
該貼付片を前記ベルト本体の他方の留め具に貼り付けて使用することを特徴とする、
請求項１乃至４のうち何れか１項に記載のパーティション用ベルト。
【考案の詳細な説明】
【技術分野】
【０００１】
本考案は、置柵や支柱等の、仮設又は常設の構造物の間に架設して仕切り線を設けるための、パーティション用ベルトに関する。
【背景技術】
【０００２】
コンサートや展示会などの各種屋内・屋外イベントの際に、会場の内外に適宜仕切り線を設けて、観覧者の行列の整理、観覧エリアの区分け、立ち入り制限等をスムーズに行う必要がある。
これらの仕切り線の構築には、仮設コーンなどの設備にロープを架設する方法（特許文献１）や、支柱の内部に収納されているベルトを引き出す装置（いわゆる「ベルトパーティション」）（特許文献２）を用いる方法等が知られている。
【先行技術文献】
【特許文献】
【０００３】
【特許文献１】特開２０１３−１９９８３２号公報
【特許文献２】実用新案登録第３１１４５７４号公報
【考案の概要】
【考案が解決しようとする課題】
【０００４】
上記した従来の仕切り線の構築方法によれば、以下に記載する問題のうち、少なくとも一つの問題が生じうる。
【０００５】
（１）仕切り線の構築と避難経路の確保の両立が難しい。
例えばコンサート会場の場合、複数の座席ブロック毎に歩行通路が確保されている。これらの通路は避難通路でもあるため、緊急時には座席から速やかに避難が可能なように、通路と座席の間に仕切り線を設けないほうが望ましいとされている。しかし、この仕切り線を設けないこととなると、観覧者がステージ近くへと自由に移動することを結果的に許容することにもなるため、コンサートの安全な進行が確保できないおそれがある。
これらの折衷策としては、仕切り線の構築手段に、緊急時には誰でも容易に仕切りの解除が可能な、簡素・単純な構造のものを採用することが考えられるものの、所望の機能を達成した製品は未だ考案されていない。
【０００６】
（２）仕切り線の長さ調節の自由度に乏しい。
現場に応じて、仕切り線を設ける長さ（架設距離）は異なるところ、特許文献１のような一般的な仕切りロープは端部に係留部が固定されており、長さ調整ができない。よって、長さの異なる仕切りロープ群を事前に多数用意しなければならない。
なお、仕切りロープの長さのバリエーションに乏しいと、一方の仕切りロープは適度に余裕を残して張られているにもかかわらず、他方の仕切りロープは、長さが足りずにピンと張られているような状態が想定され、見栄えが悪く全体として煩雑な印象を受ける場合がある。
なお、特許文献２に記載のベルトパーティションは、長さ調整が可能ではあるものの、高価で重量も重いため、大規模なイベントで大量に使用する際には不向きである。
【０００７】
したがって、本考案は、低コストで且つ利便性に優れる仕切り線の構築手段の提供を目的とするものである。
【課題を解決するための手段】
【０００８】
前記課題を解決すべくなされた本願の第１考案は、置柵や支柱等の、仮設又は常設の構造物の間に架設して仕切り線を設けるための、パーティション用ベルトであって、前記構造物への連結のために、互いに留め合う一組の留め具からなる面ファスナーを、ベルト本体に設けたことを特徴とする、パーティション用ベルトを提供するものである。
また、本願の第２考案は、前記第１考案において、前記ベルト本体の前背面のうち少なくとも何れか一方の面において、一端に挿通金具を設け、他端に前記面ファスナーのうち一方の留め具を設け、中間部分に前記面ファスナーのうち他方の留め具を設けたことを特徴とする。
また、本願の第３考案は、前記第１考案において、前記ベルト本体の前背面のうち少なくとも何れか一方の面において、両端に前記面ファスナーのうち一方の留め具を設け、中間部分に前記面ファスナーのうち他方の留め具を設けたことを特徴とする。
また、本願の第４考案は、前記第１乃至第３考案のうち何れかの考案において、前記ベルト本体に、弾性変形可能な変形部を設けたことを特徴とする。
また、本願の第５考案は、前記第１乃至第４考案のうち何れかの考案において、前面に表示部を設け、且つ背面に前記面ファスナーのうち一方の留め具を設けた貼付片をさらに有し、該貼付片を前記ベルト本体の他方の留め具に貼り付けて使用することを特徴とする。
【考案の効果】
【０００９】
本考案によれば、以下に記載する効果のうち、少なくともいずれか一つの効果を得ることができる。
（１）脱着が容易である。
取付機構に面ファスナーを用いるため、脱着方法が視覚で容易に理解できる。よって、緊急時には観覧者自身がベルト本体を取り外すことで早期の避難行動に寄与し得る。
（２）長さ調節が容易である。
ベルト本体のほぼ全面に面ファスナー機構を用いるため、長さ調整が自在であり、仕切り線の長さ（架設距離）の長短への対応性に優れる。
（３）低コストである。
簡素な構造であるため、軽量かつ低コストであり、大規模なイベントでの大量使用に好適である。
（４）景観性が向上する。
長さ調節が可能であるため、適度にテンションをかけた状態での仕切り線の構築が可能であり、見栄えに優れ、整然な印象の付与に寄与する。
さらに、一部に弾性変形可能な変形部を設けておくと、適度にテンションがかかった状態をより良好に維持することができる。
（５）安全性が向上する。
ベルト本体に弾性変形可能な変形部を設けておくことにより、観覧者などが他の観覧者に押されて本考案のベルトに倒れ込んだりしてベルトに急な引張力が生じても、変形部が当該引張力を吸収するため、観覧者への衝撃を和らげ、怪我の恐れを未然に回避することができる。
（６）標識・広告機能の付与が容易になる。
順路を示す矢印や、立ち入り禁止などの標識や、広告などが付された表示部を設けた貼付片を、前記した面ファスナーの機構を兼用させて取り付けることにより、ベルトそのものに標識機能を簡単に付与することができ、またその標識機能の切替えも簡単となる。
【図面の簡単な説明】
【００１０】
【図１】本考案に係るパーティション用ベルトの第１実施例を示す概略図であり、（ａ）は前面側、（ｂ）は背面側を示す。
【図２】図１に係るパーティション用ベルトの使用例を示す概略図。
【図３】本考案に係るパーティション用ベルトの第２実施例を示す概略図。
【図４】図３に係るパーティション用ベルトの使用例を示す概略図。
【図５】本考案に係るパーティション用ベルトの第３実施例を示す概略図。
【図６】本考案に係るパーティション用ベルトの第４実施例を示す概略図。
【考案を実施するための形態】
【００１１】
以下、各図面を参照しながら、本考案に係る基本構成と、各実施例について説明する。
【００１２】
＜１＞基本構成
本考案に係るパーティション用ベルトは、ベルト本体１と、ベルト本体１に設けた面ファスナー２を必須要素とする。
【００１３】
＜２＞ベルト本体
ベルト本体１は、長手状の帯部材であり、仕切り線そのものに相当する部材である。ベルト本体Ａの素材は周知の部材を用いれば良い。
【００１４】
＜３＞面ファスナー
面ファスナー２は、互いに留め合う一組の留め具で構成する。
一組の留め具は、鉤が並んだフック部２１（雄部）及び、輪が並んだループ部２２（雌部）からなる。
フック部２１及びループ部２２は、ベルト本体１の前背面に対し、取付態様に従って配置される。
後述する各実施例では、一組の留め具のうち、一方の留め具をフック部２１，他方の留め具をループ部２２として設計しているが、これら留め具を入れ換えて一方の留め具をループ部２２，他方の留め具をフック部２１として設計してもよいことを予め付言する。
【実施例１】
【００１５】
本考案のパーティション用ベルトの第１実施例について図１，２を参照しながら説明する。
【００１６】
＜１＞全体構成
本実施例に係るパーティション用ベルトは、ベルト本体１の前面側において、一端に挿通金具３を設け、他端にフック部２１を設け、中間部分にループ部２２を設けている（図１（ａ））。
また、ベルト本体１の背面側には面ファスナー２を設けずに、一般的な表面加工のままである（図１（ｂ））。
なお、図示しないが、ベルト本体１の背面側も前面側と同様に、面ファスナー２の機構を設けてもよい。この場合には使用時に前背面の区別を意識する必要が無い点で有益である。
【００１７】
（１）ベルト本体、面ファスナー
前記ベルト本体１と、面ファスナー２の詳細については前記の基本構成の通りであり、詳細な説明は省略する。
【００１８】
（２）挿通金具
挿通金具３は、ベルト本体１を折り返すための部材である。
この挿通金具３は、ベルト本体１の端部やベルト本体１の途上に設けてもよいし、設ける数も単数及び複数の何れでもよい。
この挿通金具３を解してベルト本体１を折り返すことにより、仕切り線の長さを調整することができる。
【００１９】
＜２＞使用方法
本考案に係るパーティション用ベルトは、置柵や支柱等の、仮設又は常設の構造物の間の開放空間に架設する。
図２では、一組の置柵Ａ１，Ａ２の間の開放空間に架設している。
まず、一方の置柵Ａ１のフレームＡ１１に挿通金具３を設けてある端部を挿通して折り返した位置で留めておく。このとき、面ファスナー２を設けてある面が外側を向く状態としておく。
そして、フック部２１を設けてある端部を、他方の置柵Ａ２で折り返した後、挿通金具３を解して更に折り返す。この時点で、フック部２１とループ部２２は互いに対向する状態となり、相互の貼り付けが可能となる。
この架設状態によって、各置柵Ａ１，Ａ２間に仕切り線Ｂを構築することが可能となる。
【００２０】
本実施例に係るパーティション用ベルトによれば、ループ部２２がベルト本体１のほぼ全面に設けてあることから、フック部２１との貼り付け位置の自由度が高いため、架設長さの調整幅が広いという作用効果を得ることができる。
また、挿通金具３によるベルト本体１の折り返し位置を調整すれば、架設後のパーティション用ベルトのテンションを調整することも可能となる。
【実施例２】
【００２１】
本考案のパーティション用ベルトの第２実施例について図３，４を参照しながら説明する。
【００２２】
＜１＞構成
本実施例に係るパーティション用ベルトは、ベルト本体１の前背面のうち少なくとも何れか一方の面において、両端にフック部２１を設け、中間部分にループ部２２を設けている（図３）。
前記ベルト本体１と、面ファスナー２の詳細については前記基本構成の通りであり、詳細な説明は省略する。
【００２３】
＜２＞使用方法
図４に示すように、本実施例に係るパーティション用ベルトは、各置柵Ａ１，Ａ２のフレームＡ１１，Ａ２１に、フック部２１を設けた端部を挿通して適宜折り返し、それぞれループ部２２に貼り付けて固定する。
本実施例に係るパーティション用ベルトは、実施例１に係るパーティション用ベルトよりも簡易な構造で仕切り線の構築が可能となる。
【実施例３】
【００２４】
本考案のパーティション用ベルトの第３実施例について図５を参照しながら説明する。
【００２５】
＜１＞全体構成
本実施例に係るパーティション用ベルトは、前記第１又は第２実施例に記載のパーティション用ベルトを前提として、さらにベルト本体１に弾性変形可能な変形部４が介在するようにした構成としている。
【００２６】
（１）ベルト本体、面ファスナー
前記ベルト本体１と、面ファスナー２の詳細については前記の基本構成の通りであり、詳細な説明は省略する。
【００２７】
（２）変形部
変形部４は、ベルト本体１に生じる引張力によってベルト本体１の長さを調整するための部材である。
変形部４は、ベルト本体１の端部や途上に設けてもよいし、設ける数も単数及び複数の何れでもよい。
変形部４は、弾性変形可能な部材、例えばバネやゴムなどの部材を用いることができる。
【００２８】
＜２＞使用方法
本実施例に係るパーティションベルトを取り付ける際には、ベルト本体１に引張力を加えて、前記変形部４の復元力を発揮した状態を維持しておく。
本実施例に係るパーティション用ベルトによれば、仕切り線Ｂのテンションを強めにした状態での仕切り線の構築が可能となる。
【実施例４】
【００２９】
本考案のパーティション用ベルトの第４実施例について図６を参照しながら説明する。
【００３０】
＜１＞全体構成
本実施例に係るパーティション用ベルトは、前記第１乃至第３実施例のうち何れかに記載のパーティション用ベルトを前提に、前面に表示部５１を設け且つ背面にフック部５２を設けた貼付片５を更に有している。
【００３１】
（１）ベルト本体、面ファスナー
前記ベルト本体１と、面ファスナー２の詳細については前記の基本構成の通りであり、詳細な説明は省略する。
【００３２】
（２）貼付片
貼付片５は、ベルト本体１に貼り付けることによって、仕切り線Ｂに標識機能又は広告機能を付与するための部材である。
貼付片５の前面には、順路を示す矢印や、立ち入り禁止などの標識や、広告などが付された表示部５１を設ける。
貼付片５の背面には、前記面ファスナー２のループ部２２に対応するフック部５２を設ける。
【００３３】
＜２＞使用方法
前記した各実施例に記載の通り、パーティション用ベルトを架設した後、現場に適した貼付片５をベルト本体のループ部２２に貼り付ける。
本実施例に係るパーティション用ベルトによれば、貼付片５の貼付にあたって、前記した面ファスナー２のループ部２２を兼用させることができる。
【符号の説明】
【００３４】
Ａ    置柵
１    ベルト本体
２    面ファスナー
２１  フック部
２２  ループ部
３    挿通金具
４    変形部
５    貼付片
５１  表示部
５２  フック部
【図１】
0003189165.tif 000003
【図２】
0003189165.tif 000004
【図３】
0003189165.tif 000005
【図４】
0003189165.tif 000006
【図５】
0003189165.tif 000007
【図６】
0003189165.tif 000008